(57)【特許請求の範囲】
【請求項１】
機器本体に対するパネル本体の傾きを調整するためのチルト機構であって、
前記パネル本体には、
外周段差部の側面に円弧溝が周設されたパネル本体用回動軸と、
円弧状に並んだ複数の歯形が内面に形成された係合部材と、
前記複数の歯形の間にそれぞれ存在する複数の歯溝のいずれか一つに係合する歯形状係止爪を有した係止部材と、
前記係止部材が回動可能に支持される装着部と、
前記装着部内に係入されることで前記係止部材を付勢することにより、前記パネル本体用回動軸に直交な方向で前記歯形状係止爪を前記係合部材に押し付ける付勢部材と、
前記パネル本体用回動軸の円弧溝に正逆方向に摺動可能に装入される円弧状突片を有するとともに前記係合部材が内設され、前記装着部を掩蔽する補強カバー体と、が設けられる一方、
前記機器本体には、
前記パネル本体用回動軸が回動可能に支持される一対の軸支部と、
前記補強カバー体が固定した状態に取り付けられた固装部と、が設けられたこと、を特徴とするチルト機構。
【請求項２】
請求項１に記載するチルト機構であって、
前記複数の歯溝のいずれか一つに係合する際の前記歯形状係止爪による前記パネル本体の傾きを調整する際の操作荷重が前記複数の歯形又は前記歯形状係止爪で調整されたこと、を特徴とするチルト機構。
【請求項３】
請求項２に記載するチルト機構であって、
前記操作荷重が前記歯形状係止爪で調整される場合には、前記歯形状係止爪が前記複数の歯形より耐摩耗性が高いこと、を特徴とするチルト機構。
【請求項４】
請求項２に記載するチルト機構であって、
前記操作荷重が前記複数の歯形で調整される場合には、前記複数の歯形が前記歯形状係止爪より耐摩耗性が高いこと、を特徴とするチルト機構。
【発明の詳細な説明】
【技術分野】
【０００１】
本発明は、機器本体に対するパネル本体の傾きを調整するためのチルト機構に関するものである。
【背景技術】
【０００２】
従来より、機器本体に対するパネル本体の傾きを調整するためのチルト機構としては、例えば、傾いた状態のパネル本体を摩擦力で保持するようなタイプや、傾いた状態のパネル本体をラチェットで保持し、そのラチェットの歯止めをバネ等で解除するようなタイプ（下記特許文献１参照）等がある。
【先行技術文献】
【特許文献】
【０００３】
【特許文献１】特開２０１０−５９４１号公報
【発明の概要】
【発明が解決しようとする課題】
【０００４】
しかしながら、近年のパネル本体は、例えば、液晶ディスプレイだけでなく、液晶ディスプレイとボタン操作部等とが一体化したものが登場し、そのようなデザイン上の要求等から大型化が進んできている。そのため、傾いた状態でパネル本体を保持するには、これまで以上に大きなトルクに耐える必要がある。よって、従来のタイプのチルト機構のままで、大型化されたパネル本体の傾きを調整しようとすれば、パネル本体を押す力が強くなり過ぎ、パネル本体が変形したり、あるいは、薄型化もされたパネル本体を利用することも困難になるという悪影響を外観的品質に与えたり、また、大型化されたパネル本体の傾きを調整する際の操作荷重が安定しないという悪影響を機能的品質に与えたりしていた。
【０００５】
そこで、本発明は、上述した点を鑑みてなされたものであり、機器本体に対するパネル本体の傾きを調整するためのチルト機構であって、新たなメカニズムを採用することにより、パネル本体の変形防止や操作荷重の安定性を実現したチルト機構を提供することを課題とする。
【課題を解決するための手段】
【０００６】
この課題を解決するためになされた請求項１に係る発明は、機器本体に対するパネル本体の傾きを調整するためのチルト機構であって、前記パネル本体には、外周段差部の側面に円弧溝が周設されたパネル本体用回動軸と、円弧状に並んだ複数の歯形が内面に形成された係合部材と、前記複数の歯形の間にそれぞれ存在する複数の歯溝のいずれか一つに係合する歯形状係止爪を有した係止部材と、前記係止部材が回動可能に支持される装着部と、前記装着部内に係入されることで前記係止部材を付勢することにより、前記パネル本体用回動軸に直交な方向で前記歯形状係止爪を前記係合部材に押し付ける付勢部材と、前記パネル本体用回動軸の円弧溝に正逆方向に摺動可能に装入される円弧状突片を有するとともに前記係合部材が内設され、前記装着部を掩蔽する補強カバー体と、が設けられる一方、前記機器本体には、前記パネル本体用回動軸が回動可能に支持される一対の軸支部と、前記補強カバー体が固定した状態に取り付けられた固装部と、が設けられたこと、を特徴とする。
【０００７】
また、請求項２に係る発明は、請求項１に記載するチルト機構であって、前記複数の歯溝のいずれか一つに係合する際の前記歯形状係止爪による前記パネル本体の傾きを調整する際の操作荷重が前記複数の歯形の形状又は前記歯形状係止爪の形状で調整されたこと、を特徴とする。
【０００８】
また、請求項３に係る発明は、請求項２に記載するチルト機構であって、前記操作荷重が前記歯形状係止爪の形状で調整される場合には、前記歯形状係止爪が前記複数の歯形より耐摩耗性が高いこと、を特徴とする。
【０００９】
また、請求項４に係る発明は、請求項２に記載するチルト機構であって、前記操作荷重が前記複数の歯形の形状で調整される場合には、前記複数の歯形が前記歯形状係止爪より耐摩耗性が高いこと、を特徴とする。
【発明の効果】
【００１０】
すなわち、本発明のチルト機構では、パネル本体の補強カバー体が機器本体の固装部に固定した状態に取り付けられる新たなメカニズムを採用することにより、機器本体に対するパネル本体の傾きを調整するためのチルト機構が実現されており、パネル本体の変形防止や操作荷重の安定性を実現する。
【００１１】
また、本発明のチルト機構の新たなメカニズムでは、パネル本体の補強カバー体内で複数の歯溝のいずれか一つに歯形状係止爪が係合することで、パネル本体の傾きを調整し、その際の操作荷重の軽重が、パネル本体の補強カバー体内にある複数の歯形の形状又は歯形状係止爪の形状で調整される。
【００１２】
また、本発明のチルト機構の新たなメカニズムでは、パネル本体の傾きを調整する際の操作荷重の軽重がパネル本体の補強カバー体内にある歯形状係止爪の形状で調整される場合は、歯形状係止爪の耐摩耗性を複数の歯形より高くすることで、機器本体に対してパネル本体がスムーズに傾く。
【００１３】
また、本発明のチルト機構の新たなメカニズムでは、パネル本体の傾きを調整する際の操作荷重の軽重がパネル本体の補強カバー体内にある複数の歯形の形状で調整される場合は、複数の歯形の耐摩耗性を歯形状係止爪より高くすることで、機器本体に対してパネル本体がスムーズに傾く。
【図面の簡単な説明】
【００１４】
【図１】本発明の一実施形態のチルト機構を備えた複合機の斜視図である。
【図２】同チルト機構を備えた複合機の平面図である。
【図３】同チルト機構を備えた複合機の正面図である。
【図４】同チルト機構を備えた複合機の側面図である。
【図５】同チルト機構の分解斜視図である。
【図６】同チルト機構を構成する係止部材の斜視図である。
【図７】同チルト機構を構成する係止部材の斜視図である。
【図８】同チルト機構を構成する装着部と係止部材とがパネル本体に取り付けられた状態の斜視図である。
【図９】同チルト機構を構成する装着部と係止部材と補強カバー体とがパネル本体に取り付けられた状態の斜視図である。
【図１０】同チルト機構を構成する補強カバー体の斜視図である。
【図１１】同チルト機構を構成する補強カバー体の斜視図である。
【図１２】同チルト機構を備えた複合機の一部が表された正面図である。
【図１３】同チルト機構を備えた複合機の一部が図１２の線Ａ−Ａで切断された断面図である。
【図１４】同チルト機構を備えた複合機の一部が図１２の線Ｂ−Ｂで切断された断面図である。
【図１５】同チルト機構を備えた複合機の一部が図１２の線Ｃ−Ｃで切断された断面図である。
【図１６】同チルト機構を備えた複合機の一部が図１２の線Ｄ−Ｄで切断された断面図である。
【発明を実施するための形態】
【００１５】
［１．チルト機構を備えた複合機］
図１乃至図４に表した複合機２は、機器本体１０やパネル本体２０を備える。機器本体１０に対するパネル本体２０の傾きは、後述するチルト機構によって調整される。尚、パネル本体２０は、液晶ディスプレイ２０Ａやボタン操作部２０Ｂを有している。パネル本体２０の横幅は機器本体１０の横幅の半分以上あり、パネル本体２０は大型のものが使用されている。
【００１６】
［２．チルト機構］
図５に表したように、本発明の一実施形態に係るチルト機構１は、パネル本体用回動軸２１００や、装着部２２００、ダブルトーションばね２３００、係止部材２４００、補強カバー体２５００をパネル本体２０に備える。また、本実施形態に係るチルト機構１は、機器本体用第一部品１１００に一対の軸支部１１０１を備えるとともに、機器本体用第二部品１２００に固装部１２０１を備える。
【００１７】
機器本体用第一部品１１００の一対の軸支部１１０１には軸穴１１０２がそれぞれ設けられている。一方、パネル本体用回動軸２１００の両端には支軸２１０１が設けられている。従って、機器本体用第一部品１１００に設けられた一対の軸支部１１０１の軸穴１１０２に対してパネル本体用回動軸２１００の両支軸２１０１が差し込まれることによって、機器本体用第一部品１１００に対してパネル本体用回動軸２１００が回動可能に支持される。
【００１８】
機器本体用第二部品１２００に設けられた固装部１２０１は、補強カバー体２５００の紙面側下半分が嵌合される形状にある。これにより、機器本体用第二部品１２００の固装部１２０１に対して、補強カバー体２５００が固定された状態で取り付けられる（下記図１３乃至図１６参照）。
【００１９】
パネル本体２０では、パネル本体用回動軸２１００のほぼ中央には、外周段差部２１０２が設けられている。外周段差部２１０２の両側面には、円弧溝２１０３が設けられている。
【００２０】
パネル本体２０では、パネル本体用回動軸２１００の外周段差部２１０２の下側において、装着部２２００が設けられている。装着部２２００には、一対の突起板２２０１が設けられている。各突起板２２０１には、外側方向に回動軸２２０２と係入口２２０３とが設けられている。各突起板２２０１の間には、棒部材２２０４が架設されている。
【００２１】
パネル本体２０の装着部２２００には、ダブルトーションばね２３００が係入される。ダブルトーションばね２３００は、一対のコイル部２３０１と、一対の腕部２３０２、結合部２３０３を有する。ダブルトーションばね２３００の結合部２３０３は、一対のコイル部２３０１を結合する線材である。ダブルトーションばね２３００の一対のコイル部２３０１は、装着部２２００の回動軸２２０２にそれぞれ挿入される（下記図８，図１３参照）。ダブルトーションばね２３００の一対の腕部２３０２は、装着部２２００の各突起板２２０１の係入口２２０３に差し込まれる（下記図８，図１３参照）。これらの組付によって、ダブルトーションばね２３００の結合部２３０３は、装着部２２００の各突起板２２０１上に配置される（下記図９，図１３参照）。
【００２２】
パネル本体２０の装着部２２００には、係止部材２４００が取り付けられる。図６や図７に表されたように、係止部材２４００は、歯形状係止爪２４０１や、一対の突起爪２４０２、ばね係合部２４０３、案内爪２４０４、切欠部２４０５を有する。歯形状係止爪２４０１の両端に一対の突起爪２４０２が設けられている。歯形状係止爪２４０１及び一対の突起爪２４０２の裏面においてばね係合部２４０３が設けられている。歯形状係止爪２４０１の下側からは、歯形状係止爪２４０１に対して垂直に突出した案内爪２４０４が設けられている。案内爪２４０４の先端には、切欠部２４０５が設けられている。
【００２３】
図８に表したように、パネル本体２０の装着部２２００に係止部材２４００が取り付けられた状態では、上述したようにして、装着部２２００にダブルトーションばね２３００が係入される。さらに、装着部２２００の各突起板２２０１の間に対して係止部材２４００の案内爪２４０４が挿入される。その際には、装着部２２００の棒部材２２０４に係止部材２４００の切欠部２４０５が係入される。さらに、係止部材２４００（のばね係合部２４０３（上記図６参照））に対してダブルトーションばね２３００（の結合部２３０３（下記図９参照）を押し付ければ、図８に表した状態となる。係止部材２４００の付勢方向はパネル本体用回動軸２１００の軸方向に対して直交関係にある。この状態では、装着部２２００において係止部材２４００が回動可能にある。
【００２４】
パネル本体２０では、係止部材２４００が取り付けられた装着部２２００は、図９に表したように、補強カバー体２５００によって覆われる。補強カバー体２５００は、パネル本体用回動軸２１００の外周段差部２１０２の両側面に設けられた円弧溝２１０３を利用して、パネル本体２０に取り付けられる。
【００２５】
図１０や図１１に表すように、補強カバー体２５００は、円弧状に並んだ４個の歯形２５０１が内面に形成されたものである。円弧状に並んだ４個の歯形２５０１によって係合部材２５０２が構成される。各歯形２５０１の中央には、案内溝２５０３が設けられている。案内溝２５０３の下側延長上にも案内溝２５０３が設けられている。各歯形２５０１の両側には、円弧面２５０４が設けられている。また、補強カバー体２５００の両側は、案内溝２５０３がある内側に向かって円弧状突片２５０５が設けられている。
【００２６】
パネル本体２０では、図９や図１６に表したように、補強カバー体２５００の両円弧状突片２５０５をパネル本体用回動軸２１００の外周段差部２１０２に設けられた両円弧溝２１０３に差し入れることにより、補強カバー体２５００がパネル本体２０に取り付けられる。
【００２７】
パネル本体２０では、補強カバー体２５００がパネル本体２０に取り付けられると、ダブルトーションばね２３００の付勢力によって、図１３乃至図１５に表されたように、係止部材２４００が補強カバー体２５００の内側に押し付けられる。このとき、係止部材２４００の歯形状係止爪２４０１は、図１５に表されたように、補強カバー体２５００内の４個の歯形２５０１の間にそれぞれ存在する複数の歯溝のいずれか一つに係合する。また、係止部材２４００の案内爪２４０４は、図１４に表されたように、補強カバー体２５００内の案内溝２５０３に装入される。
【００２８】
そして、補強カバー体２５００の下半分は、例えば、図１３に表したように、、機器本体用第二部品１２００に固装部１２０１に嵌合される。
【００２９】
従って、図１乃至図４に表した複合機２において、機器本体１０に対するパネル本体２０の傾きを調整するときは、パネル本体２０をパネル本体用回動軸２１００を中心に回動させる。このとき、機器本体用第二部品１２００の固装部１２０１に固定された補強カバー体２５００内では、パネル本体用回動軸２１００の直交方向にダブルトーションばね２３００で付勢されている係止部材２４００の歯形状係止爪２４０１が円弧状に並んだ４個の歯形２５０１に沿って回動・揺動等する。そして、パネル本体２０の回動を止めると、このとき、機器本体用第二部品１２００に固装部１２０１に固定された補強カバー体２５００内では、パネル本体用回動軸２１００の直交方向にダブルトーションばね２３００で付勢されている係止部材２４００の歯形状係止爪２４０１が円弧状に並んだ４個の歯形２５０１の間にそれぞれ存在する複数の歯溝のいずれか一つに係合する。これにより、機器本体１０に対するパネル本体２０の傾きが維持されるので、機器本体１０に対するパネル本体２０の傾きを調整することができる。
【００３０】
［３．まとめ］
すなわち、本実施形態に係るチルト機構１は、機器本体１０に対するパネル本体２０の傾きを調整するためのものであって、パネル本体２０には、外周段差部２１０２の側面に円弧溝２１０３が周設されたパネル本体用回動軸２１００と、円弧状に並んだ４個の歯形２５０１が内面に形成された係合部材２５０２と、４個の歯形２５０１の間にそれぞれ存在する複数の歯溝のいずれか一つに係合する歯形状係止爪２４０１を有した係止部材２４００と、係止部材２４００が回動可能に支持される装着部２２００と、装着部２２００内に係入されることで係止部材２４００を付勢することにより、パネル本体用回動軸２１００に直交な方向で歯形状係止爪２４０１を係合部材２５０２に押し付けるダブルトーションばね２３００と、パネル本体用回動軸２１００の円弧溝２１０３に正逆方向に摺動可能に装入される円弧状突片２５０５を有するとともに係合部材２５０２が内設され、装着部２２００を掩蔽する補強カバー体２５００と、が設けられる一方、機器本体１０には、パネル本体用回動軸２１００が回動可能に支持される一対の軸支部１１０１と、補強カバー体２５００が固定した状態に取り付けられた固装部１２０１と、が設けられたこと、を特徴とする。
【００３１】
つまり、本実施形態に係るチルト機構１では、パネル本体２０の補強カバー体２５００が機器本体１０の固装部１２０１に固定した状態に取り付けられ、機器本体１０に対するパネル本体２０の傾きを調整するためのチルト機構が実現されつつ、パネル本体２０の変形防止を実現する。変形防止が実現できる理由としては、補強カバー体２５００の円弧状突片２５０５とパネル本体用回動軸２１００の円弧溝２１０３とが係合することにより、ダブルトーションばね２３００の力がパネル本体２０を押し出そうとすることを少なくしているからである。
【００３２】
また、本実施形態に係るチルト機構１の新たなメカニズムでは、パネル本体２０の補強カバー体２５００内で４個の歯形２５０１の間にそれぞれ存在する複数の歯溝のいずれか一つに歯形状係止爪２４０１が係合することで、パネル本体２０の傾きを調整し、その際の操作荷重の軽重が、パネル本体２０の補強カバー体２５００内にある４個の歯形２５０１の形状又は歯形状係止爪２４０１の形状で調整される。これにより、パネル本体２０の傾きを調整する際の操作荷重の安定性を実現する。
【００３３】
ここで、パネル本体２０の傾きを調整する際の操作荷重の軽重がパネル本体２０の補強カバー体２５００内にある歯形状係止爪２４０１の形状で調整される場合は、歯形状係止爪２４０１の耐摩耗性を複数の歯形２５０１より高くすることで、機器本体１０に対してパネル本体２０をスムーズに傾かせることができる。
【００３４】
一方、パネル本体２０の傾きを調整する際の操作荷重の軽重がパネル本体２０の補強カバー体２５００内にある複数の歯形２５０１の形状で調整される場合は、複数の歯形２５０１の耐摩耗性を歯形状係止爪２４０１より高くすることで、機器本体１０に対してパネル本体２０をスムーズに傾かせることができる。
【００３５】
［４．その他］
尚、本発明は上記実施形態に限定されるものでなく、その趣旨を逸脱しない範囲で様々な変更が可能である。
【符号の説明】
【００３６】
１  チルト機構
１０  機器本体
２０  パネル本体
１１０１  一対の軸支部
１２０１  固装部
２１００  パネル本体用回動軸
２１０２  外周段差部
２１０３  円弧溝
２２００  装着部
２３００  ダブルトーションばね（付勢部材）
２４００  係止部材
２４０１  歯形状係止爪
２５００  補強カバー体
２５０１  複数の歯形（複数の歯溝）
２５０２  係合部材
２５０５  円弧状突片
【図１】
0005994330.tif 000002
【図２】
0005994330.tif 000003
【図３】
0005994330.tif 000004
【図４】
0005994330.tif 000005
【図５】
0005994330.tif 000006
【図６】
0005994330.tif 000007
【図７】
0005994330.tif 000008
【図８】
0005994330.tif 000009
【図９】
0005994330.tif 000010
【図１０】
0005994330.tif 000011
【図１１】
0005994330.tif 000012
【図１２】
0005994330.tif 000013
【図１３】
0005994330.tif 000014
【図１４】
0005994330.tif 000015
【図１５】
0005994330.tif 000016
【図１６】
0005994330.tif 000017